(57)【要約】【課題】高精度、かつ簡易にアンテナの異常を検出することのできるアンテナ異常検出装置、アンテナ異常検出方法、アンテナ異常検出プログラム、および無線基地局装置を提供する。【解決手段】各受信レベル検出部１２ａ〜１２ｄは、一定周期ごとに対応するアンテナで受信した信号の受信レベルを検出する。アンテナ特定部１８は、受信レベルが最小であるアンテナを特定し、受信レベル記憶部１５内のそのアンテナの最小となった回数をインクリメントとする。所定時間が経過したら、異常判定部１６は、受信レベル記憶部１５を参照して、アンテナごとに受信レベルが最小となった比率を算出する。異常判定部１６は、算出した比率が所定値以上のアンテナを異常であると判定する。【選択図】　　　　図１
2004112152.tif 000002
【特許請求の範囲】
【請求項１】
複数のアンテナと、アンテナごとに受信信号の受信レベルを検出する手段とを備えた無線基地局装置のアンテナの異常を検出するアンテナ異常検出装置であって、
アンテナごとの受信レベルが最小となった回数を記憶する記憶手段と、
アンテナごとの受信レベルが検出されるごとに、各アンテナの受信レベルを取得し、受信レベルが最小となったアンテナを特定し、前記記憶手段内の前記特定したアンテナの最小となった回数をインクリメントする制御手段と、
前記記憶手段を参照して、前記アンテナごとに受信レベルが最小となる比率を算出し、前記比率が所定値以上のアンテナを異常と判定する異常判定手段とを備えたアンテナ異常検出装置。
【請求項２】
複数のアンテナと、アンテナごとに受信信号の受信レベルを検出する手段とを備えた無線基地局装置のアンテナの異常を検出するアンテナ異常検出装置であって、
アンテナごとの受信レベルが最大となった回数を記憶する記憶手段と、
アンテナごとの受信レベルが検出されるごとに、各アンテナの受信レベルを取得し、受信レベルが最大となったアンテナを特定し、前記記憶手段内の前記特定したアンテナの最大となった回数をインクリメントする制御手段と、
前記記憶手段を参照して、前記アンテナごとに受信レベルが最大となる比率を算出し、前記比率が所定値以下のアンテナを異常と判定する異常判定手段とを備えたアンテナ異常検出装置。
【請求項３】
前記異常判定手段は、所定時間経過したときの、前記記憶手段内の各アンテナの前記回数に基づいて前記比率を算出する、請求項１または２記載のアンテナ異常検出装置。
【請求項４】
前記異常判定手段は、所定フレーム数を受信したときの、前記記憶手段内の各アンテナの前記回数に基づいて前記比率を算出する、請求項１または２記載のアンテナ異常検出装置。
【請求項５】
複数のアンテナと、アンテナごとに受信信号の受信レベルを検出する手段とを備えた無線基地局装置のアンテナの異常を検出するアンテナ異常検出方法であって、
アンテナごとの受信レベルが検出されるごとに、各アンテナの受信レベルを取得し、受信レベルが最小となったアンテナを特定するアンテナ特定ステップと、
前記アンテナごとに受信レベルが最小となった比率を算出し、前記比率が所定値以上のアンテナを異常と判定する異常判定ステップとを有するアンテナ異常検出方法。
【請求項６】
複数のアンテナと、アンテナごとに受信信号の受信レベルを検出する手段とを備えた無線基地局装置のアンテナの異常を検出するアンテナ異常検出方法であって、
アンテナごとの受信レベルが検出されるごとに、各アンテナの受信レベルを取得し、受信レベルが最大となったアンテナを特定するアンテナ特定ステップと、
前記アンテナごとに受信レベルが最大となった比率を算出し、前記比率が所定値以下のアンテナを異常と判定する異常判定ステップとを有するアンテナ異常検出方法。
【請求項７】
前記異常判定ステップは、所定時間経過するまでに特定された各アンテナの前記回数に基づいて前記比率を算出する、請求項５または６記載のアンテナ異常検出方法。
【請求項８】
前記異常判定ステップは、所定フレーム数を受信するまでに特定された各アンテナの前記回数に基づいて前記比率を算出する、請求項５または６記載のアンテナ異常検出方法。
【請求項９】
複数のアンテナと、アンテナごとに受信信号の受信レベルを検出する手段とを備えた無線基地局装置のアンテナの異常を検出するためにコンピュータを、
アンテナごとの受信レベルが最小となった回数を記憶する記憶手段と、
アンテナごとの受信レベルが検出されるごとに、各アンテナの受信レベルを取得し、受信レベルが最小となったアンテナを特定し、前記記憶手段内の前記特定したアンテナの最小となった回数をインクリメントする制御手段と、
前記記憶手段を参照して、前記アンテナごとに受信レベルが最小となる比率を算出し、前記比率が所定値以上のアンテナを異常と判定する異常判定手段として機能させるためのアンテナ異常検出プログラム。
【請求項１０】
複数のアンテナと、アンテナごとに受信信号の受信レベルを検出する手段とを備えた無線基地局装置のアンテナの異常を検出するためにコンピュータを、
アンテナごとの受信レベルが最大となった回数を記憶する記憶手段と、
アンテナごとの受信レベルが検出されるごとに、各アンテナの受信レベルを取得し、受信レベルが最大となったアンテナを特定し、前記記憶手段内の前記特定したアンテナの最大となった回数をインクリメントする制御手段と、
前記記憶手段を参照して、前記アンテナごとに受信レベルが最大となる比率を算出し、前記比率が所定値以下のアンテナを異常と判定する異常判定手段として機能させるためのアンテナ異常検出プログラム。
【請求項１１】
前記異常判定手段は、所定時間経過したときの、前記記憶手段内の各アンテナの前記回数に基づいて前記比率を算出する、請求項９または１０記載のアンテナ異常検出プログラム。
【請求項１２】
前記異常判定手段は、所定フレーム数を受信したときの、前記記憶手段内の各アンテナの前記回数に基づいて前記比率を算出する、請求項９または１０記載のアンテナ異常検出プログラム。
【請求項１３】
複数のアンテナと、
アンテナごとに受信信号の受信レベルを検出する手段と、
アンテナごとの受信信号を復調する復調手段と、
アンテナごとの受信レベルが最小となった回数を記憶する記憶手段と、
受信レベルに基づいて、前記復調手段で復調された各信号を合成する合成手段と、
受信レベルを検出するごとに、受信レベルが最小となったアンテナを特定し、前記記憶手段内の前記特定したアンテナの受信レベルが最小となった回数をインクリメントするアンテナ特定手段と、
前記記憶手段を参照して、前記アンテナごとに受信レベルが最小となる比率を算出し、前記比率が所定値以上のアンテナを異常と判定する異常判定手段とを備えた無線基地局装置。
【請求項１４】
複数のアンテナと、
アンテナごとに受信信号の受信レベルを検出する手段と、
アンテナごとの受信信号を復調する復調手段と、
アンテナごとの受信レベルが最大となった回数を記憶する記憶手段と、
受信レベルに基づいて、前記復調手段で復調された各信号を合成する合成手段と、
受信レベルを検出するごとに、受信レベルが最大となったアンテナを特定し、前記記憶手段内の前記特定したアンテナの受信レベルが最大となった回数をインクリメントするアンテナ特定手段と、
前記記憶手段を参照して、前記アンテナごとに受信レベルが最大となる比率を算出し、前記比率が所定値以下のアンテナを異常と判定する異常判定手段とを備えた無線基地局装置。
【請求項１５】
前記異常判定手段は、所定時間経過したときの、前記記憶手段内の各アンテナの前記回数に基づいて前記比率を算出する、請求項１３または１４記載の無線基地局装置。
【請求項１６】
前記異常判定手段は、所定フレーム数を受信したときの、前記記憶手段内の各アンテナの前記回数に基づいて前記比率を算出する、請求項１３または１４記載の無線基地局装置。
【発明の詳細な説明】
【０００１】
【発明の属する技術分野】
本発明は、複数のアンテナを有し、ダイバーシチ受信を行なう無線基地局装置に関し、特にアンテナの異常検出技術に関する。
【０００２】
【従来の技術】
移動体通信では、送信された電波は、周囲の建物などにより反射や散乱するので、受信局では、伝送経路が異なる多数の電波が到達し、受信信号のレベルが時間的に変動するいわゆるフェージングが発生する。
【０００３】
このようなフェージングの影響を低減するために、ダイバーシチ受信が行なわれている。ダイバーシチ受信では、指向性、空間配置などが異なる複数のアンテナを設けて、各アンテナからの受信信号を合成または選択することによって、送信局からの信号を正常に受信することができる。
【０００４】
ところで、１つのアンテナのみを有する受信局では、アンテナに異常があると、送信局から受け取った受信信号のレベルが弱くなったり、受信信号自体が異常値を示すようになるので、アンテナの異常を容易に検出することができる。
【０００５】
一方、複数のアンテナを有する受信局では、１つのアンテナに異常があったとしても、残りのアンテナによって送信局からの信号を正常に受信することができるので、アンテナの異常を検出するのが難しく、特別な方法が必要となる。
【０００６】
複数のアンテナを有する受信局のアンテナの異常を検出する方法として、アンテナ端子反射電力検出方式が用いられている。この方法では、自局が信号を送信したときの各アンテナの反射電力を測定し、測定した反射電力が所定値以上の場合に、アンテナに異常があると判定する。
【０００７】
また、特許文献１では、別の方法が記載されている。この方法では、複数のアンテナの受信レベルの中の最大レベルを特定する。各アンテナについて、その受信レベルと最大レベルとの差を算出し、この差が所定値を越えたとき（つまり、受信レベルが最大レベルから所定値を減算した値よりも低くなったとき）に、そのアンテナのカウント値をインクリメントし、所定値以下のときに、そのアンテナのカウント値を０にする。そして、カウント値が規定回数を越えたアンテナがあるとき、つまり、連続してその受信レベルと最大レベルとの差が所定値を越えるようなアンテナがあるときに、そのアンテナを異常と判定する。
【０００８】
【特許文献１】
特開平９−８３４１８号公報
【０００９】
【発明が解決しようとする課題】
しかしながら、上述のアンテナ端子反射電力検出方式では、サーキュレータおよび検波器などの部品が必要となり、コストが高くなる。また、アンテナと受信装置とを接続するケーブル長が長いときには、測定対象となる反射波が受信装置のアンテナ端までもどってこないため、アンテナの異常検出の制度が低下するという問題がある。
【００１０】
また、特許文献１に記載されている方法では、所定回数連続して受信レベルが最大レベルから所定値を減算した値よりも低くなったときに、アンテナに異常があると判定しているが、移動局が１つのアンテナに接近したことによって、そのアンテナに異常があるにもかかわらず瞬間的にそのアンテナの受信レベルが高くなることがある。そのような場合には、そのアンテナの異常を検出することができない。
【００１１】
それゆえに、本発明は、高精度、かつ簡易にアンテナの異常を検出することのできるアンテナ異常検出装置、アンテナ異常検出方法、アンテナ異常検出プログラム、および無線基地局装置を提供することを目的とする。
【００１２】
【課題を解決するための手段】
この発明に係るアンテナ異常検出装置は、複数のアンテナと、アンテナごとに受信信号の受信レベルを検出する手段とを備えた無線基地局装置のアンテナの異常を検出するアンテナ異常検出装置であって、アンテナごとの受信レベルが最小となった回数を記憶する記憶手段と、アンテナごとの受信レベルが検出されるごとに、各アンテナの受信レベルを取得し、受信レベルが最小となったアンテナを特定し、前記記憶手段内の前記特定したアンテナの最小となった回数をインクリメントする制御手段と、前記記憶手段を参照して、前記アンテナごとに受信レベルが最小となる比率を算出し、前記比率が所定値以上のアンテナを異常と判定する異常判定手段とを備える。
【００１３】
また、この発明に係るアンテナ異常検出装置は、複数のアンテナと、アンテナごとに受信信号の受信レベルを検出する手段とを備えた無線基地局装置のアンテナの異常を検出するアンテナ異常検出装置であって、アンテナごとの受信レベルが最大となった回数を記憶する記憶手段と、アンテナごとの受信レベルが検出されるごとに、各アンテナの受信レベルを取得し、受信レベルが最大となったアンテナを特定し、前記記憶手段内の前記特定したアンテナの最大となった回数をインクリメントする制御手段と、前記記憶手段を参照して、前記アンテナごとに受信レベルが最大となる比率を算出し、前記比率が所定値以下のアンテナを異常と判定する異常判定手段とを備える。
【００１４】
好ましくは、前記異常判定手段は、所定時間経過したときの、前記記憶手段内の各アンテナの前記回数に基づいて前記比率を算出する。
【００１５】
好ましくは、前記異常判定手段は、所定フレーム数を受信したときの、前記記憶手段内の各アンテナの前記回数に基づいて前記比率を算出する。
【００１６】
また、この発明に係るアンテナ異常検出方法は、複数のアンテナと、アンテナごとに受信信号の受信レベルを検出する手段とを備えた無線基地局装置のアンテナの異常を検出するアンテナ異常検出方法であって、アンテナごとの受信レベルが検出されるごとに、各アンテナの受信レベルを取得し、受信レベルが最小となったアンテナを特定するアンテナ特定ステップと、前記アンテナごとに受信レベルが最小となった比率を算出し、前記比率が所定値以上のアンテナを異常と判定する異常判定ステップとを有する。
【００１７】
また、この発明に係るアンテナ異常検出方法は、複数のアンテナと、アンテナごとに受信信号の受信レベルを検出する手段とを備えた無線基地局装置のアンテナの異常を検出するアンテナ異常検出方法であって、アンテナごとの受信レベルが検出されるごとに、各アンテナの受信レベルを取得し、受信レベルが最大となったアンテナを特定するアンテナ特定ステップと、前記アンテナごとに受信レベルが最大となった比率を算出し、前記比率が所定値以下のアンテナを異常と判定する異常判定ステップとを有する。
【００１８】
好ましくは、前記異常判定ステップは、所定時間経過するまでに特定された各アンテナの前記回数に基づいて前記比率を算出する。
【００１９】
好ましくは、前記異常判定ステップは、所定フレーム数を受信するまでに特定された各アンテナの前記回数に基づいて前記比率を算出する。
【００２０】
この発明に係るアンテナ異常検出プログラムは、複数のアンテナと、アンテナごとに受信信号の受信レベルを検出する手段とを備えた無線基地局装置のアンテナの異常を検出するためにコンピュータを、アンテナごとの受信レベルが最小となった回数を記憶する記憶手段と、アンテナごとの受信レベルが検出されるごとに、各アンテナの受信レベルを取得し、受信レベルが最小となったアンテナを特定し、前記記憶手段内の前記特定したアンテナの最小となった回数をインクリメントする制御手段と、前記記憶手段を参照して、前記アンテナごとに受信レベルが最小となる比率を算出し、前記比率が所定値以上のアンテナを異常と判定する異常判定手段として機能させる。
【００２１】
また、この発明に係るアンテナ異常検出プログラムは、複数のアンテナと、アンテナごとに受信信号の受信レベルを検出する手段とを備えた無線基地局装置のアンテナの異常を検出するためにコンピュータを、アンテナごとの受信レベルが最大となった回数を記憶する記憶手段と、アンテナごとの受信レベルが検出されるごとに、各アンテナの受信レベルを取得し、受信レベルが最大となったアンテナを特定し、前記記憶手段内の前記特定したアンテナの最大となった回数をインクリメントする制御手段と、前記記憶手段を参照して、前記アンテナごとに受信レベルが最大となる比率を算出し、前記比率が所定値以下のアンテナを異常と判定する異常判定手段として機能させる。
【００２２】
好ましくは、前記異常判定手段は、所定時間経過したときの、前記記憶手段内の各アンテナの前記回数に基づいて前記比率を算出する。
【００２３】
好ましくは、前記異常判定手段は、所定フレーム数を受信したときの、前記記憶手段内の各アンテナの前記回数に基づいて前記比率を算出する。
【００２４】
この発明に係る無線基地局装置は、複数のアンテナと、アンテナごとに受信信号の受信レベルを検出する手段と、アンテナごとの受信信号を復調する復調手段と、アンテナごとの受信レベルが最小となった回数を記憶する記憶手段と、受信レベルに基づいて、前記復調手段で復調された各信号を合成する合成手段と、受信レベルを検出するごとに、受信レベルが最小となったアンテナを特定し、前記記憶手段内の前記特定したアンテナの受信レベルが最小となった回数をインクリメントするアンテナ特定手段と、前記記憶手段を参照して、前記アンテナごとに受信レベルが最小となる比率を算出し、前記比率が所定値以上のアンテナを異常と判定する異常判定手段とを備える。
【００２５】
また、この発明に係る無線基地局装置は、複数のアンテナと、アンテナごとに受信信号の受信レベルを検出する手段と、アンテナごとの受信信号を復調する復調手段と、アンテナごとの受信レベルが最大となった回数を記憶する記憶手段と、受信レベルに基づいて、前記復調手段で復調された各信号を合成する合成手段と、受信レベルを検出するごとに、受信レベルが最大となったアンテナを特定し、前記記憶手段内の前記特定したアンテナの受信レベルが最大となった回数をインクリメントするアンテナ特定手段と、前記記憶手段を参照して、前記アンテナごとに受信レベルが最大となる比率を算出し、前記比率が所定値以下のアンテナを異常と判定する異常判定手段とを備える。
【００２６】
好ましくは、前記異常判定手段は、所定時間経過したときの、前記記憶手段内の各アンテナの前記回数に基づいて前記比率を算出する。
【００２７】
好ましくは、前記異常判定手段は、所定フレーム数を受信したときの、前記記憶手段内の各アンテナの前記回数に基づいて前記比率を算出する。
【００２８】
以上のような発明では、受信レベルが最小となった比率が所定値以上のアンテナ、または受信レベルが最大となった比率が所定値以下のアンテナを異常と判定するので、高精度、かつ簡易にアンテナの異常を検出することができる。
【００２９】
【発明の実施の形態】
以下、本発明の実施の形態について図面を用いて説明する。
【００３０】
（構成）
図１は、本実施の形態に係る無線基地局装置の構成を示す。同図を参照して、無線基地局装置１０は、アンテナＡ〜Ｄと、受信回路１２ａ〜１２ｄと、受信レベル検出器１３ａ〜１３ｄと、制御部１４と、受信レベル記憶部１５と、異常判定部１６とから構成される。
【００３１】
アンテナＡ〜Ｄは、移動局から送信された信号を受信する。アンテナＡ〜Ｄは、それぞれが受信した信号が無相関になるように配置される。
【００３２】
受信回路１２ａ〜ｄは、対応するアンテナで受信された信号を復調する。
受信レベル検出器１３ａ〜ｄは、一定周期ごとに対応するアンテナで受信された信号の受信レベル、つまり受信電界強度を検出する。
【００３３】
受信レベル記憶部１５は、アンテナごとの受信レベルが最小となった回数を記憶する。図２は、受信レベル記憶部１５の記憶例を示す。同図では、受信レベルを３０回検出後の、アンテナごとの受信レベルが最小となった回数が記憶されている。
【００３４】
制御部１４は、合成部１７とアンテナ特定部１８とを含む。
合成部１７は、受信レベルが最大となるアンテナで受信された信号を復調した受信回路からの出力信号を選択し、外部へ出力する。
【００３５】
アンテナ特定部１８は、受信レベルが最小となるアンテナを特定し、受信レベル記憶部１５内のそのアンテナの最小値回数をインクリメントする。図３は、複数のアンテナの受信レベルの例を示す。同図の例では、アンテナＢの受信レベルＬｅｂｅｌ−Ｂが最大なので、受信回路１２ｂの出力信号が外部に出力される。また、アンテナＡの受信レベルＬｅｂｅｌ−Ａが最小なので、受信レベル記憶部１５内のアンテナＡの回数がインクリメントされる。
【００３６】
異常判定部１６は、受信レベル記憶部１５を参照して、アンテナごとに受信レベルが最小となった比率を算出し、その比率が所定値以上のアンテナを異常であると判定し、判定結果を監視センタなどの外部へ出力する。本実施の形態では、無線基地局装置と通信する移動局は、均等に分散して配置されているものと仮定する。この仮定によれば、４個のアンテナすべてが正常であれば、各アンテナの受信レベルが最小となる比率は、それぞれ２５％となり、あるアンテナが異常であれば、そのアンテナの受信レベルが最小となる比率は、２５％よりも高くなる。実際には、異常か否かを判定する比率（所定値）は、種々の要因で変動するため、異常か否かを判定する比率（所定値）は、実験により得られた値を用いるものとする。
【００３７】
図４は、アンテナごとの受信レベルが最小となる比率の例を示す。この例では、異常か否かを判定する比率（所定値）を６０％に設定したときには、アンテナＡの比率が６０％以上なので、アンテナＡは異常であると判定される。
【００３８】
（動作）
次に、図５に示すフローチャートを参照して、本実施の形態に係る無線基地局装置の異常判定処理の動作について説明する。
【００３９】
まず、各受信レベル検出器１２ａ〜ｄは、一定周期ごとに対応するアンテナで受信した信号の受信レベルを検出する（ステップＳ２１）。
【００４０】
次に、アンテナ特定部１８は、受信レベルが最小であるアンテナを特定し、受信レベル記憶部１５内のそのアンテナの最小となった回数をインクリメントする（ステップＳ２２）。
【００４１】
所定時間が経過するまでステップＳ２１およびＳ２２の処理を繰返し（ステップＳ２３）、所定時間が経過したら、異常判定部１６は、受信レベル記憶部１５を参照して、アンテナごとに受信レベルが最小となった比率を算出する（ステップＳ２４）。
【００４２】
異常判定部１６は、算出した比率が所定値以上のアンテナを異常であると判定する（ステップＳ２５）。
【００４３】
以上のように、本実施の形態に係る無線基地局装置によれば、受信レベルが最小となった比率が所定値以上のアンテナを異常と判定するので、高精度、かつ簡易にアンテナの異常を検出することができる。
【００４４】
（変形例）
本発明は、上記実施の形態に限定されるものではなく、たとえば、以下の変形例も当然ながら包含する。
【００４５】
（１）本実施の形態では、受信レベル記憶部１５が、アンテナごとの受信レベルが最小となった回数を記憶し、アンテナ特定部１８が、受信レベルが最小となるアンテナを特定し、受信レベル記憶部１５内のそのアンテナの最小となった回数をインクリメントし、異常判定部１６が、受信レベル記憶部１５を参照して、アンテナごとに受信レベルが最小となった比率を算出し、その比率が所定値以上のアンテナを異常であると判定するとしたが、これに限定するものではなく、たとえば、最大の受信レベルに着目して異常を判定するものであってもよい。すなわち、受信レベル記憶部１５が、アンテナごとの受信レベルが最大となった回数を記憶し、アンテナ特定部１８が、受信レベルが最大となるアンテナを特定し、受信レベル記憶部１５内のそのアンテナの最大となった回数をインクリメントし、異常判定部１６が、受信レベル記憶部１５を参照して、アンテナごとに受信レベルが最大となった比率を算出し、その比率が所定値以下のアンテナを異常であると判定するものとしてもよい。
【００４６】
（２）本実施の形態では、異常判定部１６は、所定時間が経過したときに、アンテナごとに受信レベルが最小となった比率を算出したが、これに限定するものではない。たとえば、制御部１４が所定数のフレームを受信したときに、異常判定部１６に、上述の比率を算出させるものとしてもよい。
【００４７】
（３）本実施の形態では、異常検出処理機能を備えた無線基地局装置について説明したが、無線基地局装置とは別個の、アンテナ特定部１８と受信レベル記憶部１５と異常判定部１６とからなる異常検出装置が、無線基地局装置から受信レベルを取得して、これに基づいて無線基地局装置のアンテナの異常を検出するものであってもよい。
【００４８】
（４）本実施の形態は、すべて専用のハードウエアで行なわれる必要はなく、たとえば、コンピュータが、異常検出プログラムによって、アンテナ特定部１８と、受信レベル記憶部１５と、異常判定部１６の機能を実行するものであってもよい。
【００４９】
（５）本実施の形態では、合成部１７は、受信レベルが最大となるアンテナで受信された信号を復調した受信回路からの出力信号を選択する選択合成法を用いたが、これに限定するものではない。たとえば、最大比合成法、または等利得合成法などのその他の合成法であってもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５１】
【発明の効果】
この発明に係る無線基地局装置、アンテナ異常検出装置、アンテナ異常検出方法、およびアンテナ異常検出プログラムによれば、受信レベルが最小となった比率が所定値以上のアンテナ、または、受信レベルが最大となった比率が所定値以下のアンテナを異常と判定するので、高精度、かつ簡易にアンテナの異常を検出することができる。
【図面の簡単な説明】
【図１】本発明の実施形態に係る無線基地局装置の構成を示す図である。
【図２】受信レベル記憶部１５の記憶例を示す図である。
【図３】複数のアンテナごとの受信レベルの例を示す図である。
【図４】アンテナごとの受信レベルが最小となる比率の例を示す図である。
【図５】本発明の実施形態に係る無線基地局装置のアンテナ異常検出処理の動作手順を示すフローチャートである。
【符号の説明】
Ａ，Ｂ，Ｃ，Ｄ　アンテナ、１０　無線基地局措置、１２ａ，１２ｂ，１２ｃ，１２ｄ　受信回路、１３ａ，１３ｂ，１３ｃ，１３ｄ　受信レベル検出器、１４　制御部、１５　受信レベル記憶部、１６　異常判定部、１７　合成部、１８アンテナ特定部。
【図１】
2004112152.tif 000003
【図２】
2004112152.tif 000004
【図３】
2004112152.tif 000005
【図４】
2004112152.tif 000006
【図５】
2004112152.tif 000007